(57)【要約】【課題】内容物を容易に収容できる収容箱１を提供する。【解決手段】収容箱１は、内容物を収容する収容領域Ｅの底面を構成する底板部１０と、底板部１０に対して起立した起立位置と底板部１０と同一平面にある平位置との間を移動可能に折り目Ｃ２１を介して底板部１０と繋がっており、収容領域Ｅの側面を構成する側板部２１と、底板部１０に対して起立した起立位置と底板部１０と同一平面にある平位置との間を移動可能に折り目Ｃ２２を介して底板部１０と繋がっており、収容領域Ｅの側面を構成する側板部２２と、第２の折り目Ｃ２２とは反対側で第３の折り目Ｃ３０を介して側板部２２と繋がっており、起立位置にある側板部２１が平位置へ移動することを許容する許容位置と平位置へ移動することを規制する規制位置との間を移動可能である蓋部３００と、を有する。【選択図】図３
2020097443.tif 000002
【特許請求の範囲】
【請求項１】
内容物を収容する収容領域の底面を構成する底板部と、
前記底板部に対して起立した第１の起立位置と前記底板部と同一平面にある第１の平位置との間を移動可能に第１の折り目を介して前記底板部と繋がっており、前記収容領域の側面を構成する第１の側板部と、前記底板部に対して起立した第２の起立位置と前記底板部と同一平面にある第２の平位置との間を移動可能に第２の折り目を介して前記底板部と繋がっており、前記収容領域の側面を構成する第２の側板部と、
前記第２の折り目とは反対側で第３の折り目を介して前記第２の側板部と繋がっており、前記第１の起立位置にある前記第１の側板部が前記第１の平位置へ移動することを許容する許容位置と前記第１の平位置へ移動することを規制する規制位置との間を移動可能である蓋部と、
を有する、
収容箱。
【請求項２】
前記第１の折り目とは反対側で第４の折り目を介して前記第１の側板部と繋がっており、前記第１の側板部に対して折れ曲がって前記底板部に対向する第１の対向位置と前記第１の側板部と同一平面にある第３の平位置との間を移動可能であり、前記第１の対向位置において、前記収容領域の天面の少なくとも一部を構成する第１の天板部を含み、
前記蓋部は、前記許容位置において、前記第１の天板部が前記第３の平位置へ移動することを許容し、前記規制位置において、前記第１の対向位置にある前記第１の天板部が前記第３の平位置へ移動することを規制する、
請求項１に記載の収容箱。
【請求項３】
前記第１の折り目とは反対側で第５の折り目を介して前記底板部と繋がっており、前記底板部に対して起立した第３の起立位置と前記底板部と同一平面にある第４の平位置との間を移動可能であり、前記収容領域の側面を構成する第３の側板部を含む、
請求項２に記載の収容箱。
【請求項４】
前記第５の折り目とは反対側で第６の折り目を介して前記第３の側板部と繋がっており、前記第３の側板部に対して折れ曲がって前記底板部に対向する第２の対向位置と前記第３の側板部と同一平面にある第５の平位置との間を移動可能であり、前記第２の対向位置において、前記第１の対向位置にある前記第１の天板部と重ならないように前記収容領域の天面の少なくとも一部を構成する第２の天板部を含み、
前記蓋部は、前記許容位置において、前記第２の天板部が前記第５の平位置へ移動することを許容し、前記規制位置において、前記第２の対向位置にある前記第２の天板部が前記第５の平位置へ移動することを規制する、
請求項３に記載の収容箱。
【請求項５】
前記第２の折り目とは反対側で第７の折り目を介して前記底板部と繋がっており、前記底板部に対して起立した第４の起立位置と前記底板部と同一平面にある第６の平位置との間を移動可能であり、前記収容領域の側面を構成する第４の側板部を含む、
請求項４に記載の収容箱。
【請求項６】
前記蓋部は、前記規制位置において、前記第１の側板部、前記第３の側板部、及び前記第４の側板部を囲む枠部を含む、
請求項５に記載の収容箱。
【請求項７】
前記第７の折り目とは反対側で第８の折り目を介して前記第４の側板部と繋がっており、前記第４の側板部に対して折れ曲がって前記底板部に対向する第３の対向位置と前記第４の側板部と同一平面にある第７の平位置との間を移動可能であり、前記第３の対向位置において、前記第１の対向位置にある前記第１の天板部及び前記第２の対向位置にある前記第２の天板部と重ならないように、前記収容領域の天面の少なくとも一部を構成する第３の天板部を含み、
前記蓋部は、前記許容位置において、前記第３の天板部が前記第７の平位置へ移動することを許容し、前記規制位置において、前記第３の対向位置にある前記第３の天板部が前記第７の平位置へ移動することを規制する、
請求項５又は６に記載の収容箱。
【請求項８】
前記蓋部は、前記規制位置において、前記第１の対向位置にある前記第１の天板部と、前記第２の対向位置にある前記第２の天板部と、前記第３の対向位置にある前記第３の天板部との境界を跨って、前記第１の天板部、前記第２の天板部、及び前記第３の天板部と重なる蓋天板部を含む、
請求項７に記載の収容箱。
【請求項９】
前記第８の折り目に対して直交する方向における前記第３の天板部の長さは、前記第７の折り目に対して直交する方向における前記底板部の長さよりも短い、
請求項８に記載の収容箱。
【請求項１０】
前記蓋部は、前記収容箱の使用時にユーザが視認する視認面のうち全ての面が前記シートの同じ側の面となるように折り曲げられて構成される、
請求項１〜９のいずれか１項に記載の収容箱。
【請求項１１】
前記蓋部を構成する部分の重量は、前記シートの総重量の半分以上である、
請求項１〜１０のいずれか１項に記載の収容箱。
【請求項１２】
第９の折り目を介して前記第２の側板部に繋がっており、前記蓋部の前記許容位置と前記規制位置との間の移動を案内する案内部を有する、
請求項１〜１１のいずれか１項に記載の収容箱。
【請求項１３】
前記第１の側板部は、前記蓋部が前記規制位置から前記許容位置に移動するのに伴って、前記第１の起立位置から前記第１の平位置へ移動する、
請求項１〜１２のいずれか１項に記載の収容箱。
【発明の詳細な説明】
【技術分野】
【０００１】
本発明は、収容箱に関する。
【背景技術】
【０００２】
使用後の玩具等の内容物を収容するための収容箱が知られている。
【発明の概要】
【発明が解決しようとする課題】
【０００３】
上記のような収容箱においては、年齢の低い子供などであっても、内容物を容易に収容させることができるものが望ましい。
【０００４】
本開示の目的の一つは、内容物を容易に収容できる収容箱を提供することにある。
【課題を解決するための手段】
【０００５】
本開示で提案する収容箱の一例は、内容物を収容する収容領域の底面を構成する底板部と、前記底板部に対して起立した第１の起立位置と前記底板部と同一平面にある第１の平位置との間を移動可能に第１の折り目を介して前記底板部と繋がっており、前記収容領域の側面を構成する第１の側板部と、前記底板部に対して起立した第２の起立位置と前記底板部と同一平面にある第２の平位置との間を移動可能に第２の折り目を介して前記底板部と繋がっており、前記収容領域の側面を構成する第２の側板部と、前記第２の折り目とは反対側で第３の折り目を介して前記第２の側板部と繋がっており、前記第１の起立位置にある前記第１の側板部が前記第１の平位置へ移動することを許容する許容位置と前記第１の平位置へ移動することを規制する規制位置との間を移動可能である蓋部と、を有する。この収容箱によると、内容物を容易に収容できる。
【図面の簡単な説明】
【０００６】
【図１】収容部を展開し、かつ蓋部を組み立てた状態の収容箱を示す斜視図である。
【図２】図１で示す収容箱の側面図である。
【図３】図１に示す状態から、収容部が有する一部の天板部を底板部と対向する位置に配置した状態の収容箱を示す斜視図である。
【図４】図３に示す状態から、収容部が有する全ての天板部を底板部と対向する位置に配置した状態の収容箱を示す斜視図である。
【図５】図４に示す状態から、蓋部を側板部に対して起立させた状態の収容箱を示す斜視図である。
【図６】蓋部により収容部を覆った状態の収容箱を示す斜視図である。
【図７】収容部及び蓋部を展開した状態の収容箱を示す斜視図である。
【発明を実施するための形態】
【０００７】
以下、本開示で提案する収容箱１の実施形態の例について説明する。本明細書で説明する実施形態は収容箱の一例に過ぎず、発明の主旨を保った範囲での適宜の変更は本発明の範囲に含まれる。また、図面において示されている各部の幅、厚さ、形状等は一例であり、図面に表れている各部の幅や厚さ、形状等は本発明の範囲を限定するものではない。
【０００８】
図１は、収容部を展開し、かつ蓋部を組み立てた状態の収容箱を示す斜視図である。図２は、図１で示す収容箱の側面図である。図３は、図１に示す状態から、収容部が有する一部の天板部を底板部と対向する位置に配置した状態の収容箱を示す斜視図である。図４は、図３に示す状態から、収容部が有する全ての天板部を底板部と対向する位置に配置した状態の収容箱を示す斜視図である。図５は、図４に示す状態から、蓋部を側板部に対して起立させた状態の収容箱を示す斜視図である。図６は、蓋部により収容部を覆った状態の収容箱を示す斜視図である。図７は、収容部及び蓋部を展開した状態の収容箱を示す斜視図である。なお、以下の説明において、図中のＸ軸方向を幅方向、Ｙ軸方向を奥行き方向、Ｚ軸方向を高さ方向とする。
【０００９】
［収容箱１の概要］
図１、図７等に示すように、収容箱１は、底板部１０と、４つの側板部２１、２２、２３、２４と、３つの天板部４１、４３、４４と、蓋部３００とを有している。これら収容箱１を構成する各部は、１枚のシートからなる。１枚のシートは、例えば、厚紙、段ボール、樹脂シートなどシート状のものであって、折り目を介して折り曲げることが可能なものであればよい。なお、収容箱１の全体が１枚のシートからなるものに限られるものではなく、少なくとも蓋部３００以外の部分（後述の収容部２００）が１枚のシートからなるものであるとよい。
【００１０】
以下の説明において、収容箱１のうち、玩具などの内容物が収容される領域を収容領域Ｅと定義する。底板部１０は、収容領域Ｅの底面を構成する。側板部２１、２２、２３、２４は、収容領域Ｅの側面を構成する。天板部４１、４３、４４は、収容領域Ｅの天面を構成する。
【００１１】
また、以下の説明において、収容箱１のうち、底板部１０、側板部２１、２２、２３、２４、及び天板部４１、４３、４４で構成される部分を収容部２００と定義する。すなわち、収容箱１は、収容部２００と蓋部３００とで構成される箱であるといえる。収容部２００は、収容部２００を構成する各板部が折れ曲がることにより収容領域Ｅを形成する。収容箱１においては、収容領域Ｅを形成する収容部２００が蓋部３００に覆われることにより、内容物が収容箱１に収容された状態が維持されることとなる。なお、図７においては、図中の破線を境界として一方側の部分が収容部２００を構成する部分であり、他方側の部分が蓋部３００を構成する部分である。
【００１２】
［底板部］
本実施形態の底板部１０は、図１等に示すように、平面形状が矩形である。底板部１０は、収容領域Ｅに収容される内容物が載置される板である。底板部１０の大きさにより、収容領域Ｅの幅方向及び奥行き方向の長さが規定されることとなる。
【００１３】
［側板部］
側板部２１（第１の側板部）は、底板部１０に対して起立した起立位置（第１の起立位置）と、底板部１０と同一平面にある平位置（第１の平位置）との間を移動可能に、折り目Ｃ２１（第１の折り目）を介して底板部１０と繋がっている。図１、図２、図７においては、側板部２１が平位置にある状態を示している。図３〜図６においては、側板部２１が起立位置にある状態を示している。
【００１４】
側板部２２（第２の側板部）は、底板部１０に対して起立した起立位置（第２の起立位置）と、底板部１０と同一平面にある平位置（第２の平位置）との間を移動可能に、折り目Ｃ２２（第２の折り目）を介して底板部１０と繋がっている。側板部２２は平面形状が矩形である。図３〜図５、図７においては、側板部２２が平位置にある状態を示している。図６においては、側板部２２が起立位置にある状態を示している。
【００１５】
側板部２３（第３の側板部）は、底板部１０に対して起立した起立位置（第３の起立位置）と、底板部１０と同一平面にある平位置（第４の平位置）との間を移動可能に、折り目Ｃ２３（第５の折り目）を介して底板部１０と繋がっている。側板部２３は、折り目Ｃ２１とは反対側で折り目Ｃ２３を介して底板部１０に繋がっている。すなわち、折り目Ｃ２１は、底板部１０を囲む境界の一の側に設けられており、折り目Ｃ２３は、底板部１０を囲む境界の一の側と対向する側に設けられている。以降の説明において、反対側とは、板部を囲む境界の一の側に対向する側を意味することとする。なお、底板部１０のように、平面形状が四角形の板部においては、折り目Ｃ２１と、折り目Ｃ２１の反対側の折り目Ｃ２３とは、互いに平行な折り目であるといえる。側板部２３は平面形状が矩形である。図１、図２、図７においては、側板部２３が平位置にある状態を示している。図３〜図６においては、側板部２３が起立位置にある状態を示している。
【００１６】
側板部２４（第４の側板部）は、底板部１０に対して起立した起立位置（第４の起立位置）と、底板部１０と同一平面にある平位置（第６の平位置）との間を移動可能に、折り目Ｃ２４（第７の折り目）を介して底板部１０と繋がっている。側板部２４は、折り目Ｃ２２とは反対側で折り目Ｃ２４を介して底板部１０に繋がっている。側板部２４は平面形状が矩形である。図１、図７においては、側板部２４が平位置にある状態を示している。図４、図５においては、側板部２４が起立位置にある状態を示している。
【００１７】
なお、本実施形態においては、底板部１０に対する側板部の角度が９０°である位置を起立位置として説明するが、起立位置は、底板部１０に対する側板部の角度が厳密に９０°である位置に限らず、９０°前後の角度で起立する位置も含むものとする。同様に、平位置は、底板部１０に対する側板部の角度が厳密に１８０°である位置に限らず、おおよそ底板部１０と側板部とがフラットな状態となる位置も含むものとする。
【００１８】
また、側板部２１、側板部２２、側板部２３、側板部２４は、互いに繋がっていない。すなわち、互いに隣接する側板部２１と側板部２２は繋がっておらず、互いに隣接する側板部２３と側板部２２とは繋がっておらず、互いに隣接する側板部２１と側板部２４は繋がっておらず、互いに隣接する側板部２３と側板部２４とは繋がっていない。そのため、側板部２１、側板部２２、側板部２３、側板部２４は、蓋部３００により覆われていない状態、すなわち、蓋部により移動が規制されない状態においては、起立位置にある状態を維持できず、自重により平位置へと移動することとなる。
【００１９】
側板部２１の幅方向の長さ、側板部２２の奥行き方向の長さ、側板部２３の幅方向の長さ、側板部２４の奥行き方向の長さは、同じであるとよい。これら長さにより、収容領域Ｅの高さが規定されることとなる。
【００２０】
［天板部］
天板部４１（第１の天板部）は、側板部２１に対して折れ曲がって底板部１０に対向する対向位置（第１の対向位置）と、側板部２１と同一平面にある平位置（第３の平位置）との間を移動可能に、折り目Ｃ４１（第４の折り目）を介して側板部２１と繋がっている。天板部４１は、折り目Ｃ２１とは反対側で折り目Ｃ４１を介して側板部２１と繋がっている。天板部４１は、側板部２１が起立位置にある状態において、収容領域Ｅの内側に向けて折れ曲がることにより、底板部１０に対向する位置に配置されて、収容領域Ｅの天面の一部を構成することとなる。図１、図７においては、天板部４１が平位置にある状態を示している。図３〜図５においては、天板部４１が対向位置において収容領域Ｅの天面の一部を構成する状態を示している。
【００２１】
天板部４３（第２の天板部）は、側板部２３に対して折れ曲がって底板部１０に対向する対向位置（第２の対向位置）と、側板部２３と同一平面にある平位置（第５の平位置）との間を移動可能に、折り目Ｃ４３（第６の折り目）を介して側板部２３と繋がっている。天板部４３は、折り目Ｃ２３とは反対側で折り目Ｃ４３を介して側板部２３と繋がっている。天板部４３は、側板部２３が起立位置にある状態において、収容領域Ｅの内側に向けて折れ曲がることにより、底板部１０に対向する位置に配置されて、収容領域Ｅの天面の一部を構成することとなる。図１、図７においては、天板部４３が平位置にある状態を示している。図３〜図５においては、天板部４３が対向位置において収容領域Ｅの天面の一部を構成する状態を示している。
【００２２】
天板部４４（第３の天板部）は、側板部２４に対して折れ曲がって底板部１０に対向する対向位置（第３の対向位置）と、側板部２４と同一平面にある平位置（第７の平位置）との間を移動可能に、折り目Ｃ４４（第８の折り目）を介して側板部２４と繋がっている。天板部４４は、折り目Ｃ２４とは反対側で折り目Ｃ４４を介して側板部２４と繋がっている。天板部４４は、側板部２４が起立位置にある状態において、収容領域Ｅの内側に向けて折れ曲がることにより、底板部１０に対向する位置に配置されて、収容領域Ｅの天面の一部を構成することとなる。図１、図７においては、天板部４４が平位置にある状態を示している。図３〜図５においては、天板部４４が対向位置において収容領域Ｅの天面の一部を構成する状態を示している。
【００２３】
図４に示すように、天板部４１と、天板部４３と、天板部４４とは、収容領域Ｅの天面を構成する状態において、互いに重ならないように設けられている。そのため、収容領域Ｅの天面を構成する部分の厚みが不要に厚くなることを抑制できる。また、天板部４１、天板部４３、天板部４４を互いに嵌め合わせたり、繋ぎ合わせたりすることは不要であるため、年齢の低い子供などであっても容易に扱うことができる。
【００２４】
また、図４に示すように、天板部４１と、天板部４３と、天板部４４とは、対向位置にある状態において、それら３つの天板部の境界Ｂが、収容領域Ｅの天面の中央付近に配置されるとよい。そのような構成にすることにより、ユーザは、収容領域Ｅが形成された状態を片手で容易に維持することができる。
【００２５】
なお、収容箱１を構成するシートの元となるシート材の大きさには制限があるため、シートの長手方向における長さが長過ぎない方が好ましい。本実施形態においては、図７に示すように、天板部４４の奥行き方向の長さ（折り目Ｃ４４に対して直交する方向における長さ）Ｌ２を、底板部１０の奥行き方向の長さ（折り目Ｃ２４に対して直交する方向における長さ）Ｌ１よりも短くした。また、上述のように、本実施形態においては、天板部４４によって収容領域Ｅの天面の一部を構成し、天板部４１、４３によって収容領域Ｅの天面の他の一部を構成することとした。このため、天板部４４のみにより収容領域Ｅの天面の全体を構成する場合、すなわち、天板部４４の奥行き方向の長さを底板部１０の奥行き方向の長さと略同じとした場合と比較して、収容箱１を展開した状態におけるシートの奥行き方向の長さ（長手方向の全長）を短くできる。
【００２６】
なお、天板部４４の奥行き方向の長さＬ２は、例えば、底板部１０の奥行き方向の長さＬ１の３分の１以上であって３分の２以下の長さであるとよい。これにより、上述のように、図４に示す境界Ｂが、収容領域Ｅの天面の中央付近に配置されることとなり、年齢の低い子供などであっても、収容領域Ｅが形成された状態を片手で容易に維持することができるためである。
【００２７】
また、図４等に示す天板部４４は、傾斜端面４４ａ、４４ｂを有し、折り目Ｃ４４から奥行き方向に向かうに従い幅方向の長さが短くなっている。また、図４等に示すように、天板部４１、４３は、傾斜端面４４ａ、４４ｂの形状に沿うような傾斜端面を有する形状である。折り目Ｃ４４に対する傾斜端面４４ａ、４４ｂの傾斜角θは、３０°〜７０°程度であるとよい。傾斜角θを３０°〜７０°程度とすることにより、天板部４１、４３、４４は、極端に幅の狭い領域を有することとならず、十分な強度を得ることができる。
【００２８】
なお、本実施形態においては、互いに重ならないよう、かつ互いの隙間が小さくなるように、天板部４１、４３、４４を設けた例について示したが、これに限られるものではない。天板部４１、４３、４４は、少なくとも、内容物を収容部２００内に収容した状態において、内容物を天面側から押さえつけられるように設けられるものであればよい。すなわち、収容領域Ｅの天面側の一部が開放されるように、天板部４１、４３、４４を設けてもよい。また、天板部は３つに限られるものではない。また、天板部の数は、側板部の数と対応しているものである必要もなく、側板部の数より少なくてもよいし、多くてもよい。すなわち、例えば、折り目Ｃ４１の奥行き方向の長さが側板部２１の奥行き方向の長さよりも短く、折り目Ｃ４３の奥行き方向の長さが側板部２３の奥行き方向の長さよりも短くてもよい。同様に、折り目Ｃ４４の幅方向の長さが、側板部２４の幅方向の長さよりも短くてもよい。
【００２９】
なお、折り目Ｃ２１、Ｃ２２、Ｃ２３、Ｃ２４、Ｃ３０、Ｃ４１、Ｃ４３、Ｃ４４は全て、それら折り目を介して繋がっている各板部が収容領域Ｅの内側に向けて折れ曲がり易いように形成されるものであるとよい。ただし、各折り目は、それら折り目を介して繋がっている各板部が収容領域Ｅの外側に向けて折れ曲がることを許容するものであっても構わない。すなわち、各折り目は、底板部１０に対する各側板部等の角度が１８０°より大きくなることを許容するものであってもよい。特に、収容部２００と蓋部３００の境界となる折り目Ｃ２２は、収容領域Ｅの外側に向けて折れ曲がりやすいものであるとよい。図１に示す使用状態においては、蓋部３００の重量により、折れ目Ｃ２２が収容領域Ｅの外側に向けて折れ曲がった状態が維持されるためである。
【００３０】
［蓋部］
蓋部３００は、折り目Ｃ２２とは反対側で折り目Ｃ３０（第３の折り目）を介して側板部２２と繋がっている。すなわち、折り目Ｃ２２は、側板部２２を囲む境界の一の側に設けられており、折り目Ｃ３０は、側板部２２を囲む境界の一の側と対向する側に設けられている。また、蓋部３００は、収容部２００の各板部が平位置へ移動することを許容する許容位置と、収容部２００の各板部が平位置へ移動することを規制する規制位置との間を移動可能に、側板部２２に繋がっている。また、蓋部３００は、図１等に示すように、蓋天板部３０１と、蓋天板部３０１の縁において蓋天板部３０１に対して起立した枠部を含む。枠部は、側板部３０２、３０３、３０４とで構成される。なお、蓋部３００の構成の詳細については後述することとする。
【００３１】
［収容箱の使い方］
次に、収容箱１の使い方について説明する。
【００３２】
まず、ユーザが、玩具などの内容物を底板部１０の上に載置する。この際、収容箱１は、図１に示すように、蓋部３００以外の部分が展開された状態、すなわち、側板部２１、２２、２３、２４、及び天板部４１、４３、４４が平位置にある状態であるとよい。
【００３３】
次に、ユーザは、天板部４１を手で掴み、側板部２１が起立位置に移動するように、天板部４１を、底板部１０に対向する位置に移動させる。すなわち、底板部１０の上に載置された内容物の上方に移動させる。これにより、内容物が、底板部１０からはみ出して、平位置にある側板部２１と天板部４１の上に載置されていた場合であっても、側板部２１と天板部４１の移動に伴い、収容領域Ｅの内側へ移動されることとなる。
【００３４】
同様に、ユーザは、天板部４３を手で掴み、側板部２３が起立位置に移動するように、天板部４３を、底板部１０に対向する位置に移動させる。すなわち、天板部４３を底板部１０の上に載置された内容物の上方に移動させる。これにより、内容物が、底板部１０からはみ出して、平位置にある側板部２３と天板部４３の上に載置されていた場合であっても、側板部２３と天板部４３の移動に伴い、収容領域Ｅの内側へ移動されることとなる。
【００３５】
なお、ユーザによる天板部４１と天板部４３の移動は、順番に行われるものでなく、ユーザが一方の手で天板部４１を掴み、他方の手で天板部４３を掴み、同時に行われるものであってもよい。側板部２１と側板部２３が起立位置に移動するように、天板部４１と天板部４３とが順次又は同時に移動されることにより、側板部２１に押されて側板部２３側に移動された内容物は、側板部２３によりその移動が規制される。同様に、側板部２３に押されて側板部２１側に移動された内容物は、側板部２１によりその移動が規制される。そのため、内容物は、収容領域Ｅ内に収まることとなる。以上の動作により、収容箱１は、図３に示す状態となる。
【００３６】
天板部４１及び天板部４３を底板部１０に対向する位置に配置した後、ユーザは、一方の手で、天板部４１及び天板部４３が底板部１０に対向する位置にある状態を維持するように、天板部４１及び天板部４３を介して、収容領域Ｅ内に収まった内容物を上から押さえつけるとよい。そして、ユーザは、一方の手で天板部４１及び天板部４３が底板部１０に対向する位置にある状態を維持しつつ、他方の手で天板部４４を掴み、側板部２４が起立位置に移動するように、天板部４４を底板部１０に対向する位置に移動させるとよい。これにより、内容物が、底板部１０からはみ出して、平位置にある側板部２４と天板部４３の上に載置されていた場合であっても、側板部２４と天板部４４の移動に伴い、収容領域Ｅの内側へ移動されることとなる。以上の動作により、収容箱１は、図４に示す状態となる。
【００３７】
さらに、ユーザは、片方の手で、天板部４１、天板部４３、及び天板部４４が底板部１０に対向する位置にある状態を維持しつつ、他方の手で、蓋部３００を掴み、側板部２２が起立位置に移動するように、蓋部３００を移動させる。そして、蓋部３００により収容部２００を覆う状態にする。
【００３８】
収容部２００が蓋部３００に覆われた状態において、蓋部３００の側板部３０２が、収容部２００の側板部２１が起立位置から平位置へ移動することを規制することとなる。また、蓋部３００の側板部３０３が、収容部２００の側板部２３が起立位置から平位置へ移動することを規制することとなる。また、蓋部３００の側板部３０４が、収容部２００の側板部２４が起立位置から平位置へ移動することを規制することとなる。さらに、蓋部３００の蓋天板部３０１が、収容部２００の天板部４１、４３、４４が対向位置から平位置へ移動することを規制することとなる。
【００３９】
以上説明したように、蓋部３００が、収容部２００を覆うことにより、側板部２１、２３、２４、天板部４１、４３、４４が収容領域Ｅを開放する方向に移動することを規制することとなる。このように、収容箱１においては、接着剤や他の固定具などを用いることなく、収容領域Ｅが形成された状態を維持することができる。
【００４０】
［蓋部の構成の詳細］
蓋部３００は、収容箱１を通常使用する際には、図１等に示すように組み立てられた状態であるとよい。収容箱１は、１枚のシートで構成されるため、使用する状態になる前は、蓋部は展開されており各板部がフラットな状態となっている。本実施形態においては、接着剤や、他の固定具などを使用することなく、蓋部３００を組み立てたり展開したりできる構成とした。以下、蓋部３００の構成の詳細について具体的に説明する。
【００４１】
図７に示すように、蓋部３００は、外天板部３０と、外側板部３１、３２、３３と、内側板部３１１、３２１、３３１と、内天板部４０と、連結部３３３、３３５と、を含む。
【００４２】
外天板部３０は、平面形状が矩形である。外天板部３０の大きさは、底板部１０と同じ又は若干大きいとよい。
【００４３】
外側板部３１は、折り目Ｃ３１を介して外天板部３０に繋がっている。内側板部３１１は、折り目Ｃ３１とは反対側で折り目Ｃ３１１を介して外側板部３１に繋がっている。外側板部３１及び内側板部３１１は、共に平面形状が矩形であり、大きさが略同じである。
【００４４】
外側板部３２は、折り目Ｃ３２を介して外天板部３０に繋がっている。内側板部３２１は、折り目Ｃ３２とは反対側で折り目Ｃ３２１を介して外側板部３２に繋がっている。外側板部３２及び内側板部３２１は、共に平面形状が矩形であり、大きさが略同じである。
【００４５】
外側板部３３は、折り目Ｃ３３を介して外天板部３０に繋がっている。内側板部３３１は、折り目Ｃ３３とは反対側で折り目Ｃ３３１を介して外側板部３１に繋がっている。外側板部３３及び内側板部３３１は、共に平面形状が矩形であり、大きさが略同じである。
【００４６】
外側板部３１と外側板部３２の幅方向の長さ、及び外側板部３３の奥行き方向の長さは略同じであり、これら長さにより、蓋部３００の高さが規定されることとなる。なお、外側板部３１と外側板部３２の幅方向の長さ、及び外側板部３３の奥行き方向の長さは、側板部２１の幅方向の長さ、側板部２２の奥行き方向の長さ、側板部２３の幅方向の長さ、側板部２４の奥行き方向の長さと略同じまたは若干長いとよい。これにより、図６に示すように、収容部２００の全部が蓋部３００によって覆われることとなり、蓋部３００と収容部２００との隙間が収容箱１の外観に表れないため、見栄えがよくなる。
【００４７】
内天板部４０は、折り目Ｃ３３１とは反対側で折り目Ｃ４０を介して内側板部３３１と繋がっている。内天板部４０は、平面形状が矩形であり、その大きさが外天板部３０と同じ又は若干小さいとよい。
【００４８】
連結部３３３は、外側板部３３の幅方向の一端において折り目Ｃ３３３を介して外側板部３３に繋がっている。連結部３３５は、外側板部３３の幅方向の他端において折り目Ｃ３３５を介して外側板部３３に繋がっている。これら連結部３３３、３３５によって、側板部３０２、側板部３０３、及び側板部３０４が、蓋天板部３０１に対して起立した状態を維持することができる。すなわち、収容箱１の使用時において、図１に示すように、蓋部３００が、蓋天板部３０１と、蓋天板部３０１の縁に沿って起立する枠部とで構成される状態が維持される。なお、連結部３３３、３３５の構成の詳細については後述することとする。
【００４９】
蓋部３００は、視認面のうち全ての面が、展開した状態のシートの同じ側の面となるように折り曲げられて構成される。なお、ここで、蓋部３００の視認面とは、蓋部３００の外面又は内面に関わらず、収容箱１の使用時に、ユーザが視認できる面である。具体的には、例えば、図６に示す蓋部３００の外天板部３０の表面、及び図１に示す蓋部３００の内天板部４０の表面とは、シートの同じ側の面であるとよい。そのような構成とすることにより、例えば、蓋部３００の蓋天板部３０１の両面にイラストなどのデザインを印刷することを、シートの両面に印刷することなく、シートの１の面のみに印刷することで実現できる。
【００５０】
また、蓋部３００を構成する部分の重量は、収容箱１を構成するシートの総重量の半分以上であるとよい。すなわち、蓋部３００の重量が、収容部２００の重量以上であるとよい。蓋部３００と収容部２００は同じ１枚のシートからなるため、蓋部３００を展開した状態における蓋部３００を構成する各板部の総面積が、収容部２００を展開した状態における収容部２００を構成する各板部の総面積以上であるとよい。
【００５１】
蓋部３００は、重力と、収容部２００と接触する面に生じる摩擦力のみにより、収容部２００を覆った状態を維持するため、重量が重い方が収容部２００を覆った状態を安定して維持することができる。
【００５２】
［蓋部の組み立て方］
さらに、蓋部３００の組み立て方について説明する。
【００５３】
まず、外側板部３３を外天板部３０に対して起立するように折り曲げる。そして、内側板部３３１を、外側板部３３と面合わせになるように内側に折り曲げると共に、内天板部４０を、外天板部３０と面合わせになるように内側板部３３１の折り曲げ方向と逆方向に折り曲げる。
【００５４】
次に、連結部３３３を、外側板部３３に対して直交するように内側に折り曲げる。そして、外側板部３１を外天板部３０に対して起立するように折り曲げる。さらに、内側板部３３１を、外側板部３１と面合わせになると共に、内側板部３１１と外側板部３１とで連結部３３３を挟み込むように内側に折り曲げる。
【００５５】
同様に、連結部３３５を、外側板部３３に対して直交するように内側に折り曲げる。そして、外側板部３２を外天板部３０に対して起立するように折り曲げる。さらに、内側板部３２１を、外側板部３２と面合わせになると共に、内側板部３２１と外側板部３２とで連結部３３５を挟み込むように内側に折り曲げる。
【００５６】
以上のような工程により、蓋部３００が組み立てられ、収容箱１は、図７に示す状態から図１に示す状態となる。蓋部３００は、外天板部３０及び内天板部４０が重なってなる蓋天板部３０１と、外側板部３１及び内側板部３１１が重なってなる側板部３０２と、外側板部３２及び内側板部３２１が重なってなる側板部３０３と、外側板部３３及び内側板部３３１が重なってなる側板部３０４とで構成される。
【００５７】
上述のように、側板部３０４は、連結部３３３及び連結部３３５が設けられることにより、側板部３０２及び側板部３０３に連結されている。すなわち、側板部３０４は、連結部３３３及び連結部３３５が設けられることにより、蓋天板部３０１に対して起立すると共に、側板部３０２及び側板部３０３に対して直交して配置される状態が維持されている。
【００５８】
［案内部］
さらに、収容箱１は、蓋部３００の移動を案内する案内部２２１、２２２を有するとよい。
【００５９】
図７に示すように、案内部２２１は、折り目Ｃ２２１（第９の折り目）を介して側板部２２に繋がっている。案内部２２１は、奥行き方向において収容部２００側から蓋部３００側に向かうに従い、幅方向における長さが長くなるように傾斜した傾斜端面を有する平面形状を有するとよい。そして、案内部２２１は、収容部２００側においては、幅方向における長さが蓋部３００の外側板部３１よりも短く、蓋部３００側においては、幅方向における長さが蓋部３００の外側板部３１よりも長いとよい。
【００６０】
また、案内部２２１は、蓋部３００が組み立てられた状態において、蓋部３００の外側板部３１と内側板部３１１により挟まれるように、側板部２２に対して起立して配置されるとよい。これにより、蓋部３００を移動させる際に、案内部２２１の傾斜端面が、外側板部３１と内側板部３１１との境界である折り目Ｃ３１１に接触し、収容部２００に対する蓋部３００の移動を案内することとなる。
【００６１】
同様に、案内部２２２は、折り目Ｃ２２２を介して側板部２２に繋がっている。案内部２２２は、奥行き方向において収容部２００側から蓋部３００側に向かうに従い、幅方向における長さが長くなるように傾斜した傾斜端面を有する平面形状を有するとよい。そして、案内部２２２は、収容部２００側においては、幅方向における長さが蓋部３００の外側板部３２よりも短く、蓋部３００側においては、幅方向における長さが蓋部３００の外側板部３２よりも長いとよい。
【００６２】
また、案内部２２２は、蓋部３００が組み立てられた状態において、蓋部３００の外側板部３２と内側板部３２１により挟まれるように、側板部２２に対して起立して配置されるとよい。これにより、蓋部３００を移動させる際に、案内部２２２の傾斜端面が、外側板部３２と内側板部３２１との境界である折り目Ｃ３２１に接触し、収容部２００に対する蓋部３００の移動を案内することとなる。
【００６３】
収容箱１は、案内部２２１、２２２を有することにより、収容部２００に対して蓋部３００を覆わせるように移動させることが容易となる。なお、案内部２２１の平面形状と、案内部２２２の平面形状とは、幅方向において対称であるとよい。そのような構成とすることにより、蓋部３００の側板部３０２と、蓋部３００の側板部３０３とをスムーズかつ安定して移動させることができる。また、案内部２２１、２２２を有することにより、収容部２００と蓋部３００との間の隙間が隠されることなるため、見栄えも良くなる。
【００６４】
［まとめ］
以上説明した本実施形態においては、容易に内容物を収容可能な収容箱１を提供できる。具体的には、収容領域Ｅの底面を構成する底板部１０上に内容物を雑多に載置した場合であっても、すなわち、底板部１０からはみ出るように内容物を載置した場合であっても、側板部２１、２３、２４及び天板部４１、４３、４４を収容領域Ｅの内側に向けて折り曲げる動作に伴い、内容物は収容領域Ｅの内側へ移動することとなる。そのため、内容物を収容領域Ｅに収容する際に、内容物の向きや、配置を考慮せずとも、容易に内容物を収容箱１内に収めることができる。
【００６５】
また、収容箱１は、１枚のシートからなり、その組み立て作業に、接着材や固定具など他の部材を必要としないため、コストの抑制を図ることができる。
【００６６】
また、収容箱１においては、収容部２００を展開状態から、内容物を収容する状態にする際に、収容箱１の各板部を重ねたり、噛み合わせたりする作業を行う必要が無く、年齢の低い子供などであっても、容易に内容物を収容することが可能である。
【００６７】
また、側板部２１と、側板部２２と、側板部２３と、側板部２４とは、互いに繋がっておらず、蓋部３００が規制位置から許容位置へ移動されるのに伴って、起立位置から平位置へそれぞれ移動することとなる。同様に、天板部４１と、天板部４３と、天板部４４とは、互いに繋がっておらず、蓋部３００が規制位置から許容位置へ移動されるのに伴って、対向位置から平位置へそれぞれ移動することとなる。すなわち、収容箱１の収容部２００は、蓋部３００が規制位置から許容位置へ移動されるのに伴って、図５に示す状態から、図１に示す状態となる。このように、収容箱１においては、固定具を取り外したり各板部同士の噛み合わせを解除したりなどの煩雑な作業を行うことなく、内容物を収容する状態から、収容部２００が展開された状態にすることができる。そのため、年齢の低い子供などであっても、内容物を収容する図６に示す状態から、内容物を載置可能な領域が広い図１に示す状態にすることを容易に行うことができる。
【００６８】
また、収容箱１においては、蓋部３００が収容部２００の全体を覆うこととなる。すなわち、収容部２００を蓋部３００で覆った状態において、蓋部３００のみが外観を構成することとなる。このため、外観上、収容部２００と蓋部３００と境界となる部分が見えない。すなわち、収容部２００と蓋部３００との間の隙間が外観に表れないため、見栄えがよい。
【００６９】
なお、本実施形態においては、底板部１０や、蓋部３００の平面形状が矩形である例について示したが、これに限られるものではなく、四角形以外の多角形であっても構わない。また、本実施形態においては、４つの側板部が底板部１０に対して起立した起立位置と、同一平面である平位置との間を移動するように底板部１０に繋がっている構成について説明したが、これに限られるものではなく、そのような側板部が少なくとも２つ設けられる構成であるとよい。すなわち、底板部１０に対して角度が変わるように底板部１０に繋がっている側板部のみでなく、底板部１０に対して起立した位置で固定された側板部を含む構成であっても構わない。
【符号の説明】
【００７０】
１  収容箱、１０  底板部、２１，２２，２３，２４  側板部、４１，４３，４４  天板部、２００  収容部、２２１，２２２  案内部、３００  蓋部、３０１  蓋天板部、３０２，３０３，３０４  側板部、３０  外天板部、４０  内天板部、３１，３２，３３  外側板部、３１１，３２１，３３１  内側板部、３３３，３３５  連結部、Ｅ  収容領域。
【図１】
2020097443.tif 000003
【図２】
2020097443.tif 000004
【図３】
2020097443.tif 000005
【図４】
2020097443.tif 000006
【図５】
2020097443.tif 000007
【図６】
2020097443.tif 000008
【図７】
2020097443.tif 000009